(57)【要約】  本発明は、幅Ｗのタイヤトレッドに関する。このトレッドは、トレッドの幅Ｗの７０％〜８０％の幅を有する中央領域を有する。中央領域は、１本又は２本以上の円周方向ストリップ（１７）を有し、中央領域の各円周方向ストリップは、幅が２ｍｍ以上の２本の溝で画定されている。中央領域の各円周方向ストリップは、路面に接触するようになった接触面及び円周方向に均等に分布して設けられた複数本の横方向切込み（１９ａ，１９ｂ，１９ｃ）を有する。接触面上の各切込みは、平均円周方向ボイド比を定めるよう２ｍｍ未満の幅を有する。この平均円周方向ボイド比は、円周方向ストリップの平均厚さ（Ｅ）と円周方向ストリップの平均円周方向曲率半径（Ｒｃ）の比の０．５倍〜１．５倍である。切込みは、円周方向ストリップを一連のブロック（２１ａ，２１ｂ，２１ｃ）に分割し、各ブロックは、円周方向ストリップの接触面と交差する２つのエッジコーナー部（２２ａ，２２ｂ，２２ｃ，２４）を有する。円周方向ストリップの各ブロックに関し、ブロックのエッジコーナー部のうちの少なくとも１つの半径方向延長部として、面取り部を形成する傾斜部（２９ａ，２９ｂ，２０ｃ，３１）が設けられている。この傾斜部は、エッジコーナー部をブロックの側壁に連結してブロックのエッジコーナー部と側壁との間に円周方向においてオフセットを生じさせるようになっている。
2013537134.tif 000002
【特許請求の範囲】
【請求項１】
タイヤ用のトレッドであって、前記トレッドは、前記トレッドの幅Ｗの７０％〜８０％の幅を有する中央ゾーンを備え、前記中央ゾーンは、１本又は２本以上の円周方向バンド（１７）を有し、前記中央ゾーンの各円周方向バンドは、幅が２ｍｍ以上の２本の溝で画定され、前記中央ゾーンの各円周方向バンドは、路面に接触するようになった接触面及び円周方向に均等に分布して設けられた複数本の横方向サイプ（１９ａ，１９ｂ，１９ｃ）を有し、各サイプは、接触面上に、平均円周方向ボイド比を定めるよう２ｍｍ未満の幅を有し、前記平均円周方向ボイド比は、前記円周方向バンドの平均厚さ（Ｅ）と前記円周方向バンドの平均円周方向曲率半径（Ｒｃ）の比の０．５倍〜１．５倍であり、前記サイプは、前記円周方向バンドを一連のブロック（２１ａ，２１ｂ，２１ｃ）に分割し、各ブロックは、前記円周方向バンドの前記接触面と交差する２つのエッジコーナー部（２２ａ，２２ｂ，２２ｃ，２４）を有する、トレッドにおいて、前記円周方向バンドの各ブロックに関し、前記ブロックの前記エッジコーナー部のうちの少なくとも１つの半径方向延長部として、面取り部を形成する傾斜部（２９ａ，２９ｂ，２０ｃ，３１）が設けられ、前記傾斜部は、前記エッジコーナー部を前記ブロックの側壁に連結して前記ブロックの前記エッジコーナー部と前記側壁との間に円周方向においてオフセットを生じさせるようになっている、トレッド。
【請求項２】
前記平均円周方向ボイド比は、前記円周方向バンドの前記平均厚さ（Ｅ）と前記平均円周方向曲率半径（Ｒｃ）の比の０．９倍〜１．１倍である、請求項１記載のトレッド。
【請求項３】
前記エッジコーナー部（２２ａ，２２ｂ，２２ｃ，２４ａ，２４ｂ，２４ｃ）は、前記側壁（２５ａ，２５ｂ，２５ｃ，２７ａ，２７ｂ，２７ｃ）を画定する前記サイプ（１９ａ，１９ｂ，１９ｃ）の幅（Ｗｉ）に少なくとも等しい距離（Ｄ）だけ前記側壁（２５ａ，２５ｂ，２５ｃ，２７ａ，２７ｂ，２７ｃ）に対してオフセットしている、請求項１又は２記載のトレッド。
【請求項４】
前記エッジコーナー部（２２ａ，２２ｂ，２２ｃ，２４ａ，２４ｂ，２４ｃ）は、前記ブロックの前記２つのエッジコーナー部を互いに隔てる距離（Ｌｂ）のせいぜい半分に等しい距離（Ｄ）だけ前記側壁（２５ａ，２５ｂ，２５ｃ，２７ａ，２７ｂ，２７ｃ）に対してオフセットしている、請求項１〜３のうちいずれか一に記載のトレッド。
【請求項５】
前記面取り部形成傾斜部（２９ａ，２９ｂ，２９ｃ，３１）は、前記側壁を画定する前記サイプの深さ（Ｐ）の少なくとも５％に等しい半径方向高さ（Ｈ）を有する、請求項１〜４のうちいずれか一に記載のトレッド。
【請求項６】
前記傾斜部（２９ａ，２９ｂ，２９ｃ，３１）は、半径方向に対してせいぜい４５°に等しい角度（α）だけ傾けられている、請求項１〜５のうちいずれか一に記載のトレッド。
【請求項７】
各ブロック（２１ａ，２１ｂ，２１ｃ）は、２つの面取り部形成傾斜部（２９ａ，２９ｂ，２９ｃ，３１）を有し、各傾斜部は、前記ブロックの前記エッジコーナー部（２２ａ，２２ｂ，２２ｃ，２４）の各々とそれぞれ関連している、請求項１〜６のうちいずれか一に記載のトレッド。
【請求項８】
前記ブロックは、前記ブロックの側壁（２５ａ，２５ｂ，２５ｃ，２７ａ，２７ｂ，２８ｃ）から突き出た少なくとも１つの圧力パッド（３３）を有し、前記圧力パッドは、別の隣接のブロックの側壁に接触することができるアクティブな表面を有する、請求項１〜７のうちいずれか一に記載のトレッド。
【請求項９】
各圧力パッド（３３）は、前記面取り部形成傾斜部（２９ａ，２９ｂ，２９ｃ，３１）の延長部をなしている、請求項８記載のトレッド。
【請求項１０】
前記円周方向バンド（１９ｂ）の前記サイプは、半径方向（Ｚ）に対してせいぜい４５°に等しい角度（β）だけ半径方向に傾けられている、請求項１〜９のうちいずれか一に記載のトレッド。
【発明の詳細な説明】
【技術分野】
【０００１】
本発明は、タイヤトレッドであって、複数本のサイプ及びこのトレッドの転動時エネルギー消費量を減少させる関連手段を有するタイヤトレッドに関する。本発明は、特に、乗用車に取り付けられるようになったタイヤ用のトレッドに関する。
【背景技術】
【０００２】
車両の走行と関連したエネルギー消費量を減少させることは、全ての自動車製造業者及び製作者が達成しようとする重要な目的である。この目的は、タイヤの開発及びマーケティングを左右する場合が多い。
【０００３】
このエネルギー消費量を減少させるためには、一手段は、タイヤの転がり抵抗を減少させることである。
【０００４】
駆動されているタイヤの転がり抵抗は、タイヤ内部のエネルギー損失と関連していることが知られている。これらエネルギー損失は、トレッド中に用いられているゴム配合物のヒステリシス特性で決まる。これらエネルギー損失は又、タイヤを駆動しているときのトレッドの受ける変形サイクルで決まる。
【０００５】
具体的に説明すると、トレッドの受ける変形は、タイヤが駆動されているときにトレッドに加えられる力で決まる。かくして、タイヤが路面に接触する接触パッチでは、トレッドは、トレッド表面に垂直な力の作用を受ける。
【０００６】
接触パッチでは、トレッドは又、表面に対して接線方向の剪断力の作用を受け、この剪断力は、円周方向と横方向の両方に差し向けられる。これら種々の力の作用を受けて、トレッドは、変形し、それによりヒステリシスによるエネルギー損失が生じる。
【０００７】
欧州特許第０７８７６０１号明細書は、トレッドを構成するゴム配合物のヒステリシスと関連したエネルギー損失を制限することができる複数本の横方向に差し向けられたサイプを備えるトレッドを開示している。これらサイプの幅は、接触パッチに存在するサイプが閉じられるよう定められる。サイプの閉鎖は、このサイプの周りに位置する材料の２つのブロックの円周方向変形に起因している。剪断力及び圧縮力の影響を受けて、ブロックは、圧縮され、これらブロックの互いに反対側の側壁が変形し、互いに近づく。側壁のこの変形により、ヒステリシスによるエネルギー損失が生じる。サイプがいったん閉じると（このことは、ブロックが事実上これらの側壁の全体にわたって接触状態にあることを意味する）、ブロックの圧縮が止まる。したがって、ゴムの圧縮と関連したヒステリシスを介するエネルギーの損失が同様に止まる。
【０００８】
欧州特許第０７８７６０１号明細書は、かくして、横方向サイプをトレッドに形成する特定の設計上のルールを提案している。これらルールを遵守することにより、ヒステリシスによるエネルギー損失を減少させることができる。
【０００９】
本発明は、タイヤのエネルギー性能を更に一段と向上させることを提案する。
【００１０】
定義
【００１１】
タイヤは、あらゆる形式の弾性タイヤが走行中内部圧力を受けるにせよ受けないにせよどちらも含むあらゆる形式の弾性タイヤを意味している。
【００１２】
タイヤトレッドは、側面及び２つの主要面により画定された所与の量のゴム配合物を意味し、これら２つの主要面のうちの一方は、タイヤが転動中、路面に接触するようになっている。
【００１３】
トレッドの中央ゾーンは、赤道面上に心出しされたトレッドのゾーン、即ち、トレッドの中央を通過し且つタイヤの回転軸線に垂直な平面上に心出しされたゾーンを意味している。
【００１４】
トレッドの幅は、トレッドの２つの軸方向縁を隔てる距離を意味している。トレッドの幅を定める仕方は、特に、国際公開第２０１１／０７３０２２号パンフレットに開示されている。
【００１５】
ブロックは、釣り合いがとれた寸法の隆起要素を意味しており、例えば、立方体である。
【００１６】
円周方向バンドは、タイヤの周囲に沿って次々に配置された一まとまりのブロックを意味している。
【００１７】
サイプは、２つの隣り合うブロックの２つの側壁を画定する切欠きを意味し、これら側壁は、通常の走行条件下においては互いに触れ合う。サイプの幅は、２ｍｍ未満である。
【００１８】
サイプが均等に分布されて設けられていると言われる場合、このことは、円周方向バンドが路面と接触する接触パッチのサイプの総本数が、円周方向バンドのどの部分が接触パッチをたまたま形成している場合であっても平均で一定であることを意味している。
【００１９】
溝は、材料のフェースが通常の走行条件下においては互いに触れ合わない切欠きを意味している。溝の幅は、２ｍｍ以上である。
【００２０】
円周方向は、中心がタイヤの回転軸線上に位置する円の接線方向を意味している。
【００２１】
横方向は、タイヤの回転軸線に平行な方向を意味している。
【００２２】
半径方向は、円周方向に垂直であり且つ横方向に垂直な方向を意味している。
【００２３】
円周方向バンドの平均円周方向ボイド比は、円周方向バンドの一部をなすサイプの表面積とバンドの接触表面積の比を意味している。
【００２４】
円周方向バンドの接触面は、タイヤの走行時、路面に接触する円周方向バンド上の点により形成される表面を意味している。
【００２５】
サイプの表面積は、円周方向バンドの接触面に平行な平面内においてサイプの占める表面積を意味している。この平行な平面は、例えばサイプの深さに沿って半分のところでサイプと交差するのが良い。
【００２６】
円周方向バンドの平均円周方向曲率半径は、円周方向平面内におけるこの円周方向バンドの半径を意味している。この半径は、円周方向バンドの中央部分で測定される。
【００２７】
円周方向バンドの平均厚さは、円周方向バンドの接触面と円周方向バンドの実質的に中央部分内に位置する補強ベルトの半径方向外側に位置する表面との間の距離を意味している。
【先行技術文献】
【特許文献】
【００２８】
【特許文献１】欧州特許第０７８７６０１号明細書
【特許文献２】国際公開第２０１１／０７３０２２号パンフレット
【発明の概要】
【００２９】
本発明は、幅Ｗのタイヤトレッドに関する。このトレッドは、トレッドの幅Ｗの７０％〜８０％の幅を有する中央ゾーンを有する。中央ゾーンは、１本又は２本以上の円周方向バンドを有し、中央ゾーンの各円周方向バンドは、幅が２ｍｍ以上の２本の溝で画定されている。中央ゾーンの各円周方向バンドは、路面に接触するようになった接触面及び円周方向に均等に分布して設けられた複数本の横方向サイプを有する。各サイプは、接触面上に、平均円周方向ボイド比を定めるよう２ｍｍ未満の幅を有する。この平均円周方向ボイド比は、円周方向バンドの平均厚さと円周方向バンドの平均円周方向曲率半径の比の０．５倍〜１．５倍である。サイプは、円周方向バンドを一連のブロックに分割し、各ブロックは、円周方向バンドの接触面と交差する２つのエッジコーナー部を有する。円周方向バンドの各ブロックに関し、ブロックのエッジコーナー部のうちの少なくとも１つの半径方向延長部として、面取り部を形成する傾斜部が設けられている。この傾斜部は、エッジコーナー部をブロックの側壁に連結してブロックのエッジコーナー部と側壁との間に円周方向においてオフセットを生じさせるようになっている。
【００３０】
走行中、円周方向バンドは、無負荷状態のインフレートされたタイヤの曲率半径に一致した第１の曲率半径を呈しがちである。接触パッチでは、円周方向バンドは、路面の曲率半径に一致した第２の曲率半径を呈する。接触パッチの前では、円周方向バンドは、小クートニー半径（small Koutny radius）と呼ばれている第３の曲率半径を呈する。かかる小曲率半径が存在することにより、接触パッチの前に位置する円周方向バンドの高い撓み度が生じる。この高い撓み度は、隣り合うブロックの側壁を互いに引き離し、したがって、ブロックが接触パッチに入る直前にサイプを広げる傾向を有し、この結果、ヒステリシスによるエネルギー損失が増大する。
【００３１】
本発明は、ブロックのコーナーエッジのところに面取り部を形成することを提案する。面取り部は、ブロックと路面との接触時期を遅らせ、それにより、このブロックにより画定されたサイプは、このブロックが路面に触れる前であっても再び閉じ始めることができる。したがって、ブロックが路面に接触するときのブロックの変形が制限される。というのは、ブロックの変形を可能にする空間が減少するからであり、サイプは、閉じ始めている。
【００３２】
面取り部により、ヒステリシスによるエネルギー損失が更に一段と制限される。
【００３３】
好ましくは、平均円周方向ボイド比は、円周方向バンドの平均厚さと平均円周方向曲率半径の比の０．９倍〜１．１倍である。
【００３４】
ヒステリシスによるエネルギー損失が更に一段と制限される。
【００３５】
好ましくは、エッジコーナー部は、側壁を画定するサイプの幅に少なくとも等しい距離だけ側壁に対してオフセットしている。
【００３６】
面取り部に十分な幅を与えることによって、所望の効果が促進される。
【００３７】
好ましくは、エッジコーナー部は、ブロックの２つのエッジコーナー部を互いに隔てる距離のせいぜい半分に等しい距離だけ側壁に対してオフセットしている。
【００３８】
かくして、面取り部の幅を制限することによってブロックの剛性の損失が回避される。
【００３９】
好ましくは、面取り部形成傾斜部は、側壁を画定するサイプの深さの少なくとも５％に等しい半径方向高さを有する。
【００４０】
面取り部に十分な高さを与えることによって、所望の効果が促進される。
【００４１】
好ましくは、傾斜部は、半径方向に対してせいぜい４５°に等しい角度だけ傾けられている。
【００４２】
４５°を超えると、路面との接触面積及びブロックの剛性が過剰に減少し、これにより、最終的には、トレッドの正確な動作が損なわれる場合がある。
【００４３】
変形例として、各ブロックは、２つの面取り部形成傾斜部を有し、各傾斜部は、ブロックのエッジコーナー部の各々とそれぞれ関連している。
【００４４】
かくして、本発明のトレッドから無指向性タイヤを製造することが可能である。この無指向性タイヤは、好ましい走行方向を備えていない。
【００４５】
変形例として、各ブロックは、当該ブロックの側壁から突き出た少なくとも１つの圧力パッドを有し、圧力パッドは、別の隣接のブロックの側壁に接触することができるアクティブな表面を有する。
【００４６】
圧力パッドにより、サイプの容積を減少させることができ、これにより、ブロックが路面に接触しているときにブロックの変形が更に一層制限される。したがって、ヒステリシスによるエネルギー損失が更に制限される。
【００４７】
好ましくは、各圧力パッドは、面取り部形成傾斜部の延長部をなす。
【００４８】
圧力パッドは、路面に可能な限り近くに位置するので、これらの変形は、トレッドが路面に接触したときに最大となる。かくして、サイプの容積が一段と減少する。
【００４９】
変形例として、サイプは、半径方向に対してせいぜい４５°に等しい角度だけ半径方向に傾けられる。
【００５０】
サイプをトレッドの深さ中において傾けることによって、サイプの良好な閉鎖を保証することができる。かくして、ブロックの変形が更に一段と制限される。
【００５１】
本発明の別の特徴及び別の利点は、添付の図面を参照して非限定的な実施例として与えられた以下の説明から明らかになろう。
【図面の簡単な説明】
【００５２】
【図１】本発明のトレッドを有するタイヤの概略部分断面図である。
【図２】図１のトレッドのトレッド表面の概略部分図である。
【図３】休止状態にある図１のトレッドの一部の円周方向断面図である。
【図４】図３のブロックの拡大図である。
【図５】路面と接触状態にある図１のトレッドの一部の円周方向断面図である。
【図６】図１のトレッドの第２の変形形態を示す図である。
【図７】図１のトレッドの第３の変形形態を示す図である。
【図８】図１のトレッドの第４の変形形態を示す図である。
【図９】図１のトレッドの第５の変形形態を示す図である。
【発明を実施するための形態】
【００５３】
以下の説明において、同一又は類似の要素は、同一の参照符号で示される。
【００５４】
図１は、タイヤ１の概略部分断面図である。
【００５５】
タイヤ１は、クラウン領域３を含むクラウンを有し、クラウン領域３の側方延長部として、サイドウォール５が設けられ、これらサイドウォール５は、取り付けリムに接触するようになったビード（図示せず）に結合されている。
【００５６】
タイヤ１は、サイドウォール５及びクラウン領域３を介して一方のビードから他方のビードに延びるカーカス補強材７を有する。
【００５７】
クラウン領域３は、半径方向外側にトレッド１１を載せた補強材９を有する。
【００５８】
トレッド１１は、車両の走行時、路面に接触するようになったトレッド表面（「踏み面」と呼ばれることがある）１３を半径方向外側に有する。
【００５９】
トレッド１１は、複数本の溝１５を有する。
【００６０】
溝１５は、隆起した円周方向バンド１７を画定している。
【００６１】
各円周方向バンド１７は、タイヤが転動しているときに路面に接触するようになった接触面を有する。種々の円周方向バンドの接触面の全ては、一緒になって、タイヤのトレッド表面を形成している。
【００６２】
円周方向バンド１７は、平均厚さＥを有している。平均厚さＥは、この場合、円周方向バンド１７の接触面と補強材９との間の円周方向バンド１７の幅Ｌａの中間で測定される。
【００６３】
円周方向バンド１７は又、円周方向バンド１７の幅Ｌａの中間部のところで測定された平均円周方向曲率半径Ｒｃを有する。
【００６４】
図２は、トレッドのトレッド表面の概略部分図である。
【００６５】
円周方向バンド１７は、第１のサイプ１９ａ、第２のサイプ１９ｂ及び第３のサイプ１９ｃを備えている。サイプ１９ａ，１９ｂ，１９ｃはこの場合、本質的に横方向に差し向けられている。サイプ１９ａ，１９ｂ，１９ｃは、それぞれ、第１のブロック２１ａ、第２のブロック２１ｂ、第３のブロック２１ｃをそれぞれ画定している。
【００６６】
円周方向バンドのサイプの本数及びこれらサイプの特性は、円周方向バンド１７の平均円周方向ボイド比がトレッドの平均厚さＥと平均円周方向曲率半径Ｒｃの比の０．５倍〜１．５倍であるように定められる。
【００６７】
かくして、サイプの本数Ｎ、サイプの幅Ｗｉ、サイプの長さＬｉ、円周方向バンドの幅Ｌａは、以下の方程式を満たすように定められる。
【００６８】
2013537134.tif 000003
【００６９】
一例として、公称圧力までインフレートされたサイズ２０５／５５Ｒ１６のタイヤの場合、平均厚さＥは、１０ｍｍであり、平均円周方向曲率半径Ｒｃは、３１５ｍｍであり、サイプの幅Ｗｉは、０．８ｍｍであり、サイプの長さＬｉは、２０ｍｍであり、サイプの本数Ｎは、９０であり、円周方向バンドの幅Ｌａは、２０ｍｍである。この場合、サイプの幅Ｗｉは、サイプの深さ内では一定であると考えられる。この幅は、接触面に平行な平面で定められる。この平行な平面は、この場合、サイプの深さに沿って下方に半分のところでサイプと交差する。
【００７０】
変形実施形態では、円周方向バンドのサイプの本数及びこれらサイプの特性は、円周方向バンド１７の平均円周方向ボイド比がトレッドの平均厚さＥと平均円周方向曲率半径Ｒｃの比の０．９倍〜１．１倍であるように定められる。
【００７１】
別の変形実施形態では、円周方向バンドのサイプの本数は、１１０を超える。
【００７２】
図３は、休息時における、即ち、ブロックが路面に接触していないときにおけるブロック２１ａ，２１ｂ，２１ｃの概略円周方向断面図である。
【００７３】
各ブロック２１ａ，２１ｂ，２１ｃは、路面に接触するようになった外面２３ａ，２３ｂ，２３ｃを有する。
【００７４】
各ブロック２１ａ，２１ｂ，２１ｃは、第１のエッジコーナー部２２ａ，２２ｂ，２２ｃ及び第２のエッジコーナー部２４ａ，２４ｂ，２４ｃを有する。
【００７５】
加うるに、各ブロック２１ａ，２１ｂ，２１ｃは、第１の側壁２５ａ，２５ｂ，２５ｃ及び第２の側壁２７ａ，２７ｂ，２７ｃを有する。ブロックの側壁は、横方向の向きを持つ壁である。
【００７６】
かくして、第１のサイプ１９ａは、部分的に、第１のブロック２１ａの第１の側壁２５ａにより画定される。
【００７７】
第２のサイプ１９ｂは、第１のブロック２１ａの第２の側壁２７ａ及び第２のブロック２１ｂの第１の側壁２５ｂによって画定される。
【００７８】
第３のサイプ１９ｃは、第２のブロック２１ｂの第２の側壁２７ｂ及び第３のブロック２１ｃの第１の側壁２５ｃによって画定される。
【００７９】
各ブロック２１ａ，２１ｂ，２１ｃは、面取り部を形成する傾斜部２９ａ，２９ｂ，２９ｃを有する。傾斜部２９ａ，２９ｂ，２９ｃは、この場合、傾斜平面の形態をしている。
【００８０】
かくして、各傾斜部２９ａ，２９ｂ，２９ｃは、第１のエッジコーナー部と第１の側壁との間にオフセットを生じさせるよう各ブロック２１ａ，２１ｂ，２１ｃの第１の側壁２５ａ，２５ｂ，２５ｃを第１のエッジコーナー部２２ａ，２２ｂ，２２ｃに連結している。
【００８１】
図４は、第２のブロック２１ｂの概略拡大図である。
【００８２】
第１のエッジコーナー部２２ｂは、第２のサイプ１９ｂの幅Ｗｉに少なくとも等しい距離Ｄだけ第１の側壁２５ｂからオフセットしている。第２のサイプ１９ｂの幅Ｗｉは、第１のブロックの第２の側壁２７ａと第２のブロック２１ｂの第１の側壁２５ｂとの間の距離に等しい。
【００８３】
かくして、サイプの幅が０．８ｍｍの場合、距離Ｄは、例えば、１ｍｍのオーダのものである。
【００８４】
注目されるように、幅Ｗｉは、接触面に平行な平面内で定められる。この平面は、面取り部により作られた広がり部を幅Ｗｉの計算において考慮に入れることがないよう傾斜部から離れて位置している。
【００８５】
同様に、距離Ｄは、第２のブロック２１ｂの第１の側壁２５ｂと第２の側壁２７ｂとの間の距離Ｌｂのせいぜい半分に等しい。
【００８６】
変形実施形態では、距離Ｄは、Ｗｉ／２を超え且つ２×Ｗｉ未満である。
【００８７】
注目されるように、傾斜部２９ｂは、第２のサイプ１９ｂの深さＰの少なくとも５％に等しい半径方向高さＨを有している。
【００８８】
傾斜部の半径方向高さＨは、例えば、１．５ｍｍのオーダのものである。
【００８９】
さらに、傾斜部２９ｂは、半径方向とせいぜい４５°に等しい角度αだけ傾けられている。
【００９０】
図５は、路面と接触状態にあるトレッドの一部の円周方向断面図である。
【００９１】
この円周方向断面では、第１のブロック２１ａ及び第２のブロック２１ｂは、これらの接触面全体にわたって路面３０と接触状態にある。ブロック２１ａ，２１ｂは、圧縮され、これらのそれぞれの側壁は、サイプ１９ａ，１９ｂが閉じられるよう変形する。
【００９２】
図５は、第３のブロック２１ｃが第１のエッジコーナー部２２ｃのところで路面３０に触れる直前における第３のブロック２１ｃを示している。
【００９３】
第３のブロック２１ｃは、まさに走入（アタック）角θで路面３０に触れようとしている。
【００９４】
傾斜部により、走入角θは、この場合、小さく、第２のブロック２１ｂの側壁２７ｂと第３のブロック２１ｃの第１の側壁２５ｃとの間の距離は、減少している。したがって、第３のサイプ１９ｃは、第１のエッジコーナー部２２ｃが路面に触れる前であっても部分的に閉じられる。
【００９５】
第３のブロック２１ｃと路面３０の接触中、第１の側壁２５ｃは、変形するが、この変形の大きさは、第２のブロック２１ｂと第３のブロック２１ｃとの間に存在する空間が僅かなので且つオフセットが傾斜部２９ｃによって生じるので、減少する。
【００９６】
注目されるように、第５の実施例では、第１のエッジコーナー部２２ｃは、先導エッジコーナー部であり、第２のエッジコーナー部２４は、後続エッジコーナー部であり、この後続エッジコーナー部は、先導エッジコーナー部の後で路面に接触するエッジコーナー部であることを意味している。
【００９７】
図６に見える第２の変形実施形態では、各ブロック２１ｂは、２つの面取り部形成傾斜部２９ｂ，３１を有している。各傾斜部は、側壁２５ｂ，２７ｂと関連している。
【００９８】
かくして、本発明のトレッドから無指向性タイヤを製造することが可能である。これら無指向性タイヤは、好ましい走行方向を備えていない。
【００９９】
図７に見える第３の変形実施形態では、各ブロック２１ｂは、第１の側壁２５ｂから突き出た圧力パッド３３を有している。圧力パッドは、反対側のブロックと接触することができるアクティブな表面を有する。
【０１００】
圧力パッドにより、サイプの容積を減少させることができ、これにより、ブロックが路面に接触したときにブロックが変形する恐れが更に一段と制限される。
【０１０１】
圧力パッドは、サイプの深さＰの少なくとも５０％にわたって存在する。例えば、８ｍｍの深さＰを有するサイプの場合、パッドの高さは、５ｍｍである。
【０１０２】
圧力パッドの幅Ｗｐは、サイプを形成している壁相互間の距離の半分未満である。かくして、壁相互間の距離が０．８ｍｍの場合、圧力パッドの幅は、例えば、０．２ｍｍである。
【０１０３】
この実施形態では、サイプの幅Ｗｉは、パッドと反対側の側部との間の距離に一致し、サイプの表面積は、このサイプを画定すると共に圧力パッドを通る側壁に垂直な平面内でこのサイプにより形成される面積に一致していることが考えられる。
【０１０４】
図７の実施例では、サイプの幅Ｗｉは、０．６ｍｍである。
【０１０５】
変形例として、各側壁は、この側壁から突き出たブロック半部を有する。かくして、各ブロック半部は、反対側のブロック半部に接触しがちなアクティブな表面を有する。
【０１０６】
図８に見える第４の変形実施形態では、各圧力パッド３３は、面取り部形成傾斜部２９ｂの延長部をなしている。
【０１０７】
かくして、圧力パッドが路面のできるだけ近くに位置しているので、これらの変形は、トレッドが路面に接触したときに最大となる。かくして、サイプの容積が一段と減少する。
【０１０８】
第５の変形実施形態では、サイプは、半径方向Ｚに対してせいぜい４５°に等しい角度βだけ傾けられている。
【０１０９】
かくして、路面との接触時におけるサイプの閉鎖具合が更に一段と向上する。
【図１】
2013537134.tif 000004
【図２】
2013537134.tif 000005
【図３】
2013537134.tif 000006
【図４】
2013537134.tif 000007
【図５】
2013537134.tif 000008
【図６】
2013537134.tif 000009
【図７】
2013537134.tif 000010
【図８】
2013537134.tif 000011
【図９】
2013537134.tif 000012
【国際調査報告】
2013537134.tif 000013
2013537134.tif 000014
2013537134.tif 000015
2013537134.tif 000016